(57)【要約】【課題】  見開きされた表示パネルを簡素な構成で認識することのできる表示装置を提供する。【解決手段】  表示パネル１１の表裏両面に入力電極４２ａ及び出力電極４２ｂをそれぞれ設けると共に、表示パネル１１に、隣り合う一方の表示パネルの出力電極４２ｂから入力電極４２ａに入力された信号に応じて所定の信号を出力電極４２ｂから隣り合う他の表示パネルの入力電極４２ａに出力する回路を設ける。そして、本体１０に、本体１０と複数枚の表示パネル１１の回路との間にそれぞれ設けられた通信手段を介して入力される回路からの信号に応じて見開かれた表示パネル１１が何番目の表示パネル１１であるかを認識する認識手段を設け、この認識手段は、回路から入力電極４２ａがオープン状態となったことを示す信号が入力されると、信号を出力した回路を備えた表示パネル１１が見開かれた状態となったと判断する。【選択図】      図１
2006162902.tif 000002
【特許請求の範囲】
【請求項１】
書き換え可能な表示パネルと、複数枚の前記表示パネルを見開き可能に綴じると共に前記表示パネルの表示動作を制御する本体とを備えた表示装置において、
前記表示パネルの表裏両面にそれぞれ設けられた入力電極及び出力電極と、
前記表示パネルに設けられ、隣り合う一方の表示パネルの前記出力電極から前記入力電極に入力された信号に応じて所定の信号を前記出力電極から隣り合う他の表示パネルの前記入力電極に出力する回路と、
前記本体と前記複数枚の表示パネルの前記回路との間にそれぞれ設けられた通信手段と、
前記本体に設けられ、前記通信手段を介して入力される前記回路からの信号に応じて何番目の表示パネルが見開かれた状態となっているかを認識する認識手段と、
を備え、
前記認識手段は、前記回路から前記入力電極がオープン状態となったことを示す信号が入力されると、該信号を出力した回路を備えた表示パネルが見開かれた状態となっていると判断することを特徴とする表示装置。
【請求項２】
前記認識手段は、前記回路から前記出力電極がオープン状態となったことを示す信号が入力されると、該信号を出力した回路を備えた表示パネルの前の表示パネルが見開かれた状態となっていると判断することを特徴とする請求項１記載の表示装置。
【請求項３】
前記表示パネルは、それぞれ該表示パネルが何番目の表示パネルであるかを記憶する記憶手段を備え、
前記回路は、前記複数枚の表示パネルが全て閉じられた際、前記隣り合う一方の表示パネルの出力電極から前記入力電極に入力された信号に基づいて前記記憶手段に該表示パネルが何番目の表示パネルであるかを記憶させることを特徴とする請求項１又は２記載の表示装置。
【請求項４】
前記認識手段は前記記憶手段に記憶された情報に基づいて、前記開き可能に綴じられた表示パネルの枚数を判断することを特徴とする請求項３記載の表示装置。
【請求項５】
前記記憶手段は、前記表示パネルが前記本体から取り外された後も、該表示パネルが何番目の表示パネルであるかを記憶していることを特徴とする請求項３又は４記載の表示装置。
【請求項６】
前記本体の制御により所望の表示パネルに所望の画像や文字を書き込むことが可能であることを特徴とする請求項１乃至５のいずれか１項に記載の表示装置。
【請求項７】
前記本体の制御により少なくとも前記見開かれた表示パネルに所望の画像や文字を書き込むことが可能であることを特徴とする請求項６記載の表示装置。
【請求項８】
前記表示パネルとして電気泳動表示装置を用いることを特徴とする請求項１乃至７のいずれか１項に記載の表示装置。
【発明の詳細な説明】
【技術分野】
【０００１】
本発明は、表示装置に関し、特に書き換え可能な表示パネルを備えたものに関する。
【背景技術】
【０００２】
近年、情報機器の発達に伴い、低消費電力且つ薄型の表示装置のニーズが増しており、中でも紙に代わる書き換え可能な表示パネルを備えた表示装置が注目されている。ここで、このような書き換え可能な表示パネルを備えた表示装置としては、紙と同様に書き換え可能な薄型の複数の表示パネルを本体に見開き可能に束ねて綴じて使用することができると共に、表示パネルと本体とを取り外すことができるものようにしたものがある。
【０００３】
そして、このような表示装置としては、例えば物理的または電気的な接続機能を備えた接続端子を表示パネル（電子ペーパ）と本体とに備えて、ファイル型に束ねるようにした表示装置が提案されている（例えば、特許文献１参照。）。また、単に複数の表示パネルを束ねるだけでなく、本体に表示パネルを綴じた際、所望のページの表示パネルに文字や画像を書き込むことが可能な表示装置が提案されている（例えば、特許文献２参照）
【０００４】
【特許文献１】特開２００１−３１２２２７号公報
【特許文献２】特開２００４−１８４９１４号公報
【発明の開示】
【発明が解決しようとする課題】
【０００５】
ところが、このような従来の書き換え可能な表示パネルを備えた表示装置において、例えば表示パネルをファイル型に束ねて綴じる場合、表示パネルを本体に接続するためには、表示パネルを本体に１対１で接続する必要がある。この場合、表示パネルに文字や画像を書き込むための接続コネクタの他、ページ認識を行うための接続コネクタが必要となることから、構造が複雑となる。また、表示パネルを複数枚束ねた場合、接続個所が増大すると共に、コストが増大する。
【０００６】
一方、所望のページの表示パネルに文字や画像を書き込むことが可能な表示装置において、表示パネルのページ情報が予め設定されている場合、ユーザーが表示パネルを本体に見開き可能に綴じる際、設定されたページ番号と一致するよう綴じる必要があり、また本体に綴じられている表示パネルを見開きの状態とした場合、見開きされた表示パネルを本体側で認識できない。そして、このように見開きされた表示パネルを本体側で認識できない場合には、画像や文字を見開きされた表示パネルに書き込むことができない。
【０００７】
そこで、本発明は、このような現状に鑑みてなされたものであり、見開きされた表示パネルを簡素な構成で認識することのできる表示装置を提供することを目的とする。
【課題を解決するための手段】
【０００８】
書き換え可能な表示パネルと、複数枚の前記表示パネルを見開き可能に綴じると共に前記表示パネルの表示動作を制御する本体とを備えた表示装置において、前記表示パネルの表裏両面にそれぞれ設けられた入力電極及び出力電極と、前記表示パネルに設けられ、隣り合う一方の表示パネルの前記出力電極から前記入力電極に入力された信号に応じて所定の信号を前記出力電極から隣り合う他の表示パネルの前記入力電極に出力する回路と、前記本体と前記複数枚の表示パネルの前記回路との間にそれぞれ設けられた通信手段と、前記本体に設けられ、前記通信手段を介して入力される前記回路からの信号に応じて何番目の表示パネルが見開かれた状態となっているかを認識する認識手段と、を備え、前記認識手段は、前記回路から前記入力電極がオープン状態となったことを示す信号が入力されると、該信号を出力した回路を備えた表示パネルが見開かれた状態となっていると判断することを特徴とするものである。
【発明の効果】
【０００９】
本発明のように、表示パネルの表裏両面に入力電極及び出力電極をそれぞれ設け、入力電極がオープン状態となったことを示す信号を出力した表示パネルが見開かれた状態となったと判断することにより、見開かれた表示パネルを簡素な構成で認識することができる。
【発明を実施するための最良の形態】
【００１０】
以下、本発明を実施するための最良の形態について図面を用いて詳細に説明する。
【００１１】
図１は、本発明の実施の形態に係る表示装置の斜視図であり、図１に示すように、この表示装置は、画像や文字を表示する表示パネル１１と、表示パネル１１が着脱可能に、かつ見開き可能に綴じられると共に、この表示パネル１１の表示を制御する本体１０とを備えている。
【００１２】
ここで、この表示パネル１１は図２に示すように表示部２１と、それを駆動する駆動部２２とを備えている。なお、本実施の形態において、この表示パネル１１は、帯電粒子を移動させることにより表示を行う電気泳動表示装置であり、駆動部２２からの信号に応じて帯電粒子を移動させることにより、表示を行うようになっている。
【００１３】
また、本体１０と表示パネル１１は、図３に示すように、本体１０に設けられた１次コイル３２と、表示パネル１１に設けられた２次コイル３３と、これら第１及び第２コイル３２，３３の間に挿入された強磁性体リング３１との間の電磁結合により、本体１０と表示パネル１１との間の通信が可能な通信手段３４が構成される。
【００１４】
ところで、表示パネル１１の表裏両面には、図１に示すように一対の入力電極４２ａと、出力電極４２ｂとからなる電極対４２が設けられており、これら表示パネル１１の電極対４２は、表示パネル１１が閉じられた状態のとき、図４に示すようにそれぞれ電気的に接続されるようになっている。
【００１５】
また、表示パネル１１は、図４に示すように、ページ認識回路４１と、ページデータ、即ち表示パネル１１が何番目の表示パネル１１かを記憶する記憶手段である記憶素子４４とを備えている。なお、このページ認識回路４１は、全パネル共通のクロック信号が入力されるクロック信号入力端子４３と、ページデータを記憶する記憶素子４４への出力端子４７と、表示パネル間で通信を行う入力端子４５と、出力端子４６とを備えている。
【００１６】
ここで、ページ認識回路４１は一対の電極対４２を構成する入力電極４２ａから入力端子４５にＨｉｇｈの信号が入力された場合、出力端子４６を介して一対の電極対４２を構成する出力電極４２ｂからＬｏｗの信号を出力すると共に、クロック信号入力端子４３に次のクロック信号が入力された時にＨｉｇｈの信号を出力し、その次のクロック信号以降はＬｏｗの信号が出力される回路構成を持つ。なお、このページ認識回路４１の入力端子４５は固定電位にプルアップされる構造をもつものであり、つまり、このページ認識回路４１は入力信号がＬｏｗからＨｉｇｈに遷移され、次のクロック信号が入力された時にのみＨｉｇｈの信号を出力し、それ以外はＬｏｗの信号を出力するように構成されている。
【００１７】
そして、このような構成のページ認識回路４１を備えることにより、図３に示すように本体１０に設けられ、何番目の表示パネル１１が見開かれた状態となっているのかを識別する識別手段である識別部３５は、ページ認識回路４１からの信号に基づき、例えば見開かれている状態にある表示パネル１１を認識することができる。また、表示パネル１１のページ認識を行うことができる。
【００１８】
次に、このような見開かれている表示パネル１１の認識動作について説明する。
【００１９】
今、図１に示すように、表裏の両面に表示部２１を備えると共に、片面ずつに前ページからの入力電極４２ａと次ページへの出力電極４２ｂを備えた表示パネル１１を見開いた際、見開きに位置している表示パネル１１の表側にある入力電極４２ａは、隣接する表示パネル１１の出力電極４２ｂと接触しない状態となることから、オープン（開放）となる。
【００２０】
よって見開きに位置する表示パネル１１のページ認識回路４１の入力端子４５には、固定電位にプルアップされた電位、例えばＨｉｇｈの信号が入力される。そして、この後、所定のタイミングで本体１０から通信手段３４を介してクロック信号がクロック信号入力端子４３に入力され、これに伴って入力端子４５に電位信号が入力されるが、この見開きに位置する表示パネル１１には、このようにクロック信号が入力されてもＨｉｇｈの信号が引き続き入力される。
【００２１】
ここで、このようにＨｉｇｈの信号がクロック信号に応じて引き続き複数回、本実施の形態においては、２回入力されると、表示パネル１１自身が見開きに位置していることを認識し、予め認識し記憶素子４４に記憶されているページ情報を通信手段３４を介して本体１０に送信する。そして、この信号に基づき本体１０の識別部３５が見開き位置にある表示パネル１１を認識することが可能となる。
【００２２】
次に、表示パネル１１のページ認識動作について説明する。
【００２３】
表示パネル群の全ての表示パネル１１が閉じられた状態にあるとき、例えば図４に示す１ページ目に位置する表示パネル１１ａのページ認識回路４１の入力端子４５は、この１ページ目に位置する表示パネル１１ａの表面の入力電極４２ａが電気的に開放であることから、固定電位にプルアップされる。よって、最初のクロック信号が各々の表示パネル１１ａ，１１ｂ，１１ｃのページ認識回路４１に入力される時、図５に示すように１ページ目に位置する表示パネル１１ａのページ認識回路４１の入力はＨｉｇｈの信号である。
【００２４】
このとき、２ページ目以降の表示パネル１１ｂ，１１ｃのページ認識回路４１の入力としては、前ページである表示パネル１１ａ，１１ｂのページ認識回路４１の出力信号が入力されるため、最初のクロック信号が各々のページ認識回路４１に入力される時、２ページ目以降に位置する表示パネル１１ｂ，１１ｃのページ認識回路４１にはＬｏｗの信号が入力される。
【００２５】
次に、第２クロックが入力されると、１ページ目に位置する表示パネル１１ａは、電気的に開放であるためＨｉｇｈの信号のままであるが、この第２クロックにより、１ページ目に位置する表示パネル１１ａから２ページ目に位置する表示パネル１１ｂのページ認識回路４１にＨｉｇｈの信号が入力される。
【００２６】
そして、このようにＨｉｇｈの信号が入力されると、ページ認識回路４１から出力端子４７を介して記憶素子４４へ、Ｈｉｇｈの信号が入力されたときのクロック数を示す信号が出力され、これにより記憶素子４４には、この表示パネル１１ｂが２番目のページであることが記憶される。なお、このとき３ページ目以降に位置する表示パネル１１ｃのページ認識回路４１は、引き続きＬｏｗの信号が入力される。
【００２７】
さらに、この後、第３クロックが入力されると、１ページ目に位置する表示パネル１１ａは、電気的に開放であるためＨｉｇｈの信号のままであるが、この第３クロックにより、２ページ目に位置する表示パネル１１ｂから３ページ目に位置する表示パネル１１ｃのページ認識回路４１にＨｉｇｈの信号が入力される。なお、このとき２ページ目に位置する表示パネル１１ｂのページ認識回路４１はＬｏｗの信号となる。
【００２８】
このように、表示パネル１１ａ，１１ｂ，１１ｃごと、ページ認識回路４１に入力される信号がＬｏｗの電位からＨｉｇｈの電位に遷移するまでのクロック信号をカウントすることによって表示パネル１１自身に本体１０に綴じられた順列を認識させることが可能となる。そして、表示パネル１１自身に本体１０に綴じられた順列を認識させることにより、本体１０側で表示パネル１１の順列に応じて、それぞれ所望の表示パネル１１に、画像や文字を書き込むことが可能となる。
【００２９】
なお、記憶素子４４としては不揮発性メモリを用いることが好ましく、このような記憶素子４４に表示パネル１１の順列情報を記憶させることにより、表示パネル１１が本体１０から取り外された場合でも取り外された表示パネル１１は自身のページ番号を記憶しつづけておくことが可能となる。これにより、再度、表示パネル１１を本体１０に綴じた際に、直前に綴じられた際の表示パネル１１の順列情報を保持することができる。なお、この順列情報をそのまま保持するか、新たに表示パネル１１の順列情報を書き換えるかは選択可能である。
【００３０】
次に、所望の表示パネル１１に画像や文字を書き込む手段について説明する。
【００３１】
まず本体１０から、本体１０に備えられた１次コイル３２および強磁性体リング３１、表示パネル１１に供えられた２次コイル３３からなる通信手段３４を用いて、表示パネル１１のページ認識回路４１により得られたページ情報を、表示パネル１１側に送信する。
【００３２】
そして、このようにページ情報を送信すると、送信されたページ情報に該当した表示パネル１１のみアクティブになり、その他の表示パネルは非アクティブとなる。この後、本体１０よりページ情報に該当する表示パネル１１に画像データや文字データを送信することで、所望の表示パネル１１にのみ画像や文字を書き込むことが可能となる。これにより、文字や画像を書き込む必要のない表示パネル１１への電力供給を停止することができ、低消費電力化を実現することができる。
【００３３】
ところで、このような表示装置において、最終ページに位置する表示パネル１１の出力電極４２ｂと本体１０に備えられた不図示の電極とを電気的に接触することでデータ通信が可能となり、このデータ通信により表示パネル１１の全枚数を認識することができる。
【００３４】
次に、このような全枚数認識動作について説明する。
【００３５】
最終ページに位置する表示パネル１１のページ認識回路４１の入力がＬｏｗの信号からＨｉｇｈの信号に遷移する次のクロック信号が入力されると、これに同期して、この最終ページに位置する表示パネル１１のページ認識回路４１の出力電極４２ｂからＨｉｇｈの信号が本体１０に備えられた電極に出力される。
【００３６】
そして、このように最終ページに位置する表示パネル１１からのＨｉｇｈの信号を、この場合は枚数認識手段となる本体１０に備えられた識別部３５に入力させると共に、この識別部３５においてＬｏｗの信号からＨｉｇｈの信号に遷移するまでのクロック数をカウントすれば、本体１０に綴じられた表示パネル１１の全枚数が認識できる。
【００３７】
以上述べたように、表示パネル１１の表裏両面に入力電極４２ａ及び出力電極４２ｂをそれぞれ設け、入力電極４２ａがオープン状態となったとき、入力電極４２ａがオープン状態となったことを示す信号を出力したページ認識回路４１を備えた表示パネル１１が見開かれた状態となったと判断することにより、見開かれた表示パネル１１を簡素な構成で認識することができる。
【００３８】
なお、表示パネル１１が見開かれた場合、その直前の表示パネル１１の出力電極４２ｂがオープン状態となるので、出力電極４２ｂがオープン状態となったことを示す信号が入力されると、この信号を出力したページ認識回路４１を備えた表示パネル１１が、見開かれた表示パネルの前の表示パネルと判断することもできる。
【００３９】
そして、このように見開かれた状態となった表示パネル１１（、及びその直前の表示パネル）を認識することができことにより、所望の表示パネルに所望の画像や文字を書き込むことができる。
【００４０】
なお、これまでの説明においては、両面に表示部２１を備えた表示パネル１１を用いた表示装置について述べてきたが、本発明は、これに限らず、片面にのみ表示部２１を備えた表示パネル１１を見開いた場合でも、同様の動作により見開きに位置する表示パネル１１の認識が可能である。
【００４１】
また、表示パネル１１と本体１０間の通信手段は、これまで述べた構成に限らず、本体１０と表示パネル１１間に接続端子を設けてその接続端子を接続させることにより通信を行ってもよく、無線ＩＣを用いて通信を行ってもよい。
【図面の簡単な説明】
【００４２】
【図１】本発明の実施の形態に係る表示装置の斜視図。
【図２】上記表示装置を構成する表示パネルの概観図。
【図３】上記表示装置における表示パネルと本体と間の通信方式を示す概観図。
【図４】上記表示パネルの順列認識を行う構成を示す模式図。
【図５】上記表示パネルに設けられたページ認識回路のクロック信号に同期した入力信号を示したタイミングチャート。
【符号の説明】
【００４３】
１０      本体
１１      表示パネル
２１      表示部
２２      駆動部
３１      強磁性体リング
３２      １次コイル
３３      ２次コイル
３４      通信手段
４１      ページ認識回路
４２      電極対
４２ａ    入力電極
４２ｂ    出力電極
４４      記憶素子
【図１】
2006162902.tif 000003
【図２】
2006162902.tif 000004
【図３】
2006162902.tif 000005
【図４】
2006162902.tif 000006
【図５】
2006162902.tif 000007